(57)【特許請求の範囲】
【請求項１】
第一工程として、ランドセルの前板（１５）の外面に、一方のファスナー片（２３）のテープ部（２３ａ）を、略逆Ｕ字状に縫着し、
第二工程として、上辺と両側辺とが上記ファスナー片（２３）の略逆Ｕ字状に適合する長方形状のポケット上部生地（２１）に、その上辺と両側辺に渡って、上記一方のファスナー片（２３）に着脱可能に噛合する他方のファスナー片（２４）を、その両端が該ポケット上部生地（２１）の下辺よりさらに下方に突出するようになして取り付け、
第三工程として、上記一方のファスナー片（２３）の下部を覆うポケット下部生地（２２）の上端部内面側に、該ポケット上部生地（２１）の下部が一部重なるようになすと共に、該ポケット下部生地（２２）の左右両端がポケット上部生地（２１）の左右側方に突出するようになして縫合し、
第四工程として、上記ポケット下部生地（２２）の両側辺部を前板（１５）の側辺と前段マチ面部（１６，１６）との縫合部に、下辺部を前板（１５）の下辺と前段底面部（１７）との縫合部に、夫々共に縫合して取り付けるようになしたランドセルの前ポケット取付方法。
【発明の詳細な説明】
【０００１】
【発明の属する技術分野】
本発明は、ランドセルの前ポケット取付方法に関するものである。
【０００２】
【従来の技術】
従来、ランドセルには、その主収納部の最前部に、口元部を一直線状に開閉するスライドファスナーを有したポケットが設けられるのが通常で、このポケットを前ポケットと称している。しかし、この前ポケットは、図４に示すように、ポケット生地２０ａの口元側を（スライド）ファスナー片２３，２４に必要な幅（Ｌ１）分、外方に膨出させ、このポケット生地２０ａの膨出上辺と前板１５との間に、ファスナー片２３，２４を取り付けてある。
【０００３】
しかし、上記のような従来の前ポケットは、ポケット生地２０ａを膨出加工する必要性があり、このように生地を立体的に加工するのは作業性が悪く、さらに立体物を縫合するには、それなりの熟練を要する作業であるという問題点を有している。
【０００４】
なお、この前ポケットの縫合に際しては、先ず、一方のファスナー片２４をそのテープ部２４ａをポケット生地２０ａの上辺に沿わせて縫着し、この一方のファスナー片２４に他方のファスナー片２３を噛合した状態で、該他方のファスナー片２３のテープ部２３ａを前板１５に縫着するという、縫合作業に支障となる大きな付属品を共に保持し細かな部位を縫合するという作業を強いられているという問題点を有している。そして、このようして取り付けた前ポケットは、その開口部が前記したポケット生地２０ａを膨出幅Ｌ１と、該ポケット生地２０ａの撓む分とでしかないので、前ポケットの開口が小さく品物を出し入れするのが困難で、この種、前ポケットはあまり利用されないでいるという問題点を有している。
【発明が解決しようとする課題】
そこで、本発明は、上記の問題点に鑑みなされたもので、製造が容易で、開口部が従来に比較して大きく開くことのできるランドセルの前ポケット取付方法を提供することを課題としたものである。
【０００５】
【課題を解決するための手段】
本発明は、上記課題を達成するため、第一工程として、ランドセルの前板１５の外面に、一方のファスナー片２３のテープ部２３ａを、略逆Ｕ字状に縫着し、第二工程として、上辺と両側辺とが上記ファスナー片２３の略逆Ｕ字状に適合する長方形状のポケット上部生地２１に、その上辺と両側辺に渡って、上記一方のファスナー片２３に着脱可能に噛合する他方のファスナー片２４を、その両端が該ポケット上部生地２１の下辺よりさらに下方に突出するようになして取り付け、第三工程として、上記一方のファスナー片２３の下部を覆うポケット下部生地２２の上端部内面側に、該ポケット上部生地２１の下部が一部重なるようになすと共に、該ポケット下部生地２２の左右両端がポケット上部生地２１の左右側方に突出するようになして縫合し、第四工程として、上記ポケット下部生地２２の両側辺部を前板１５の側辺と前段マチ面部１６，１６との縫合部に、下辺部を前板１５の下辺と前段底面部１７との縫合部に、夫々共に縫合して取り付けるようになした技術的手段を講じたものである。
【０００６】
それ故、本発明ランドセルの前ポケット取付方法は、第一工程は、ランドセルの前板１５の外面に、他方のファスナー片２４とは別体に取り外した、一方のファスナー片２３のテープ部２３ａを、略逆Ｕ字状に縫着すればよく、縫着作業に他の支障物が無く、通常の縫着作業で該一方のファスナー片２３のテープ部２３ａを平板状のランドセルの前板１５の外面に付着できる作用を呈する。
【０００７】
次に、第二工程は、上辺と両側辺とが上記ファスナー片２３の略逆Ｕ字状に適合する長方形状のポケット上部生地２１に、その上辺と両側辺に渡って、上記一方のファスナー片２３に着脱可能に噛合する他方のファスナー片２４を、その両端が該ポケット上部生地２１の下辺よりさらに下方に突出するようになして取り付けるもので、この縫合も、平面のポケット上部生地２１に一方のファスナー片２３とは別個に外した、他方のファスナー片２４を取り付けるので、容易に両者を縫合できる作用を呈する。
【０００８】
次に、第三工程は、上記一方のファスナー片２３の下部を覆うポケット下部生地２２の上端部内面側に、該ポケット上部生地２１の下部が一部重なるようになすと共に、該ポケット下部生地２２の左右両端がポケット上部生地２１の左右側方に突出するようになして縫合するもので、この縫合部も平面どうしの接合部の縫合であるので、何ら困難性無く縫合できる作用を呈する。
【０００９】
そして、第四工程は、上記ポケット下部生地２２の両側辺部を前板１５の側辺と前段マチ面部１６，１６との縫合部に、下辺部を前板１５の下辺と前段底面部１７との縫合部に、夫々共に縫合して取り付けるようになしたので、この部位の縫合も従来と同じ作業でできる作用を呈し、この縫合作業に先立って、一方のファスナー片２３と他方のファスナー片２４とを噛合一体化しておけばよく、この噛合に際しては、ポケット上部生地２１がポケット下部生地２２との縫合部で折り曲げ可能となることと、他方のファスナー片２４は、その両端がポケット上部生地２１の下辺よりさらに下方に突出して、自由端となしてあるので融通がきくことから、両ファスナー片２３，２４に両者の噛合を着脱するスライダーを容易に装着できる作用を呈するものである。
【００１０】
【実施例】
次に、本発明の実施例を、添付図面を参照して詳細に説明する。図中、１０が従来公知なランドセルである。このランドセル１０は、背板１１に両側面１２ａ１２ｂと底面１３と仕切板１４とを連結して主収容部１０ａを形成し、この主収容部１０ａの前面側には、前板１５と前段マチ面部１６，１６と、前段底面部１７とで構成する前段と称する副収納部１０ｂが連設されてなる。
【００１１】
そして、上記背板１１の上部中央には、一対の背負帯１８，１８の上端側が連結され、この背負帯１８，１８の下端は、ランドセルの底面１３に固定・連結してある。さらに、該背板１１の上端には被せ蓋１９の基端部が連結され、この被せ蓋１９の図１では切欠して省略した自由端側は、主収容部１０ａと副収納部１０ｂとの上方を通って、前板１５の前方に被さり、その先端をランドセル本体の底面１３に着脱可能に係止できるようになしてあるのは従来と同じである。
【００１２】
そして、上記前板１５の外面側には、前ポケット２０が設けられるのが通常で、本発明では、この前ポケット２０を取り付けるのに、第一工程として、ランドセルの前板１５の外面に、一方のファスナー片２３のテープ部２３ａを、略逆Ｕ字状に縫着する。この前板１５は、縫合前のものが使用され、ランドセルとして所定部位に縫合される前に、まず、図２に示すように、前板１５の外面側（図２手前面側）に、一方のファスナー片２３のテープ部２３ａを縫い糸３１で縫合する。なお、上記ファスナー片２３は、テープ部２３ａを前板１５に密接させ、務歯（ファスナーの噛合する歯）列部２３ｂが該前板１５より直角状に立ち上がるようになし、さらには、該テープ部２３ａは適所に襞を入れて略逆Ｕ字状に折り曲げて縫合するのは従来と同じである。
【００１３】
従って、上記第一工程では、平面板状の前板１５に、ファスナー片２３のテープ部２３ａを縫着するものであるため、特にその作業に困難性はないものである。
【００１４】
次に、本発明は、第二工程として、上辺と両側辺とが上記ファスナー片２３の略逆Ｕ字状に適合する長方形状のポケット上部生地２１に、その上辺と両側辺に渡って、上記一方のファスナー片２３に着脱可能に噛合する他方のファスナー片２４を、その両端が該ポケット上部生地２１の下辺よりさらに下方に突出するようになして取り付ける。すなわち、本工程では、図３の上半部を製造するもので、先ず、上辺と両側辺とがファスナー片２３の略逆Ｕ字状に適合する略逆Ｕ字状となした長方形状のポケット上部生地２１を用意する。そして、このポケット上部生地２１に、その上辺と両側辺に渡って、上記一方のファスナー片２３に着脱可能に噛合する他方のファスナー片２４を縫合するもので、この他方のファスナー片２４はポケット上部生地２１の裏面に、そのテープ部２４ａを密着させて縫い糸３２で縫合する。そして、このファスナー片２４の務歯列部２４ｂは該ポケット上部生地２１の上辺と両側辺とに沿って直角内側に折れ曲がって（図３手前側に折れ曲がって）立ち上がるようにしてある。
【００１５】
なお、上記ファスナー片２４は、その両端がポケット上部生地２１の下辺よりさらに下方に突出するようになして有り、この突出部位は他のものに縫合することなく自由端となるようになしてある。
【００１６】
上記ファスナー片２４の縫合は、そのテープ部２４ａをポケット上部生地２１の縁に沿わせて密着させ、該ポケット上部生地２１の湾曲部ではその湾曲に沿わせて襞を入れて湾曲しつつ、務歯列部２４が略直角状に立ち上がるようにする必要性があるが、テープ部２４ａは織り生地材でできているので屈曲自在で多少の伸縮性もあるので、縫合面が平面である限り、さほど困難な縫合作業ではない。
【００１７】
そして、第三工程として、上記一方のファスナー片２３の下部を覆うポケット下部生地２２の上端部内面側に、該ポケット上部生地２１の下部が一部重なるようになすと共に、該ポケット下部生地２２の左右両端がポケット上部生地２１の左右側方に突出するようになして縫合する。すなわち、本工程で、図３に示すポケット生地２０ａを製造するもので、先ず、一方のファスナー片２３の下部を覆うと共に、前板１５の下部より一回り大きく構成したポケット下部生地２２を用意する。そして、このポケット下部生地２２の上辺部に、前記ポケット上部生地２１の下部を一部重ねて、両者の重合部を縫い糸３３で縫合することで、図３に図示するものが製造できるものである。
【００１８】
そして、本発明は、第四工程として、上記ポケット下部生地２２の両側辺部を前板１５の側辺と前段マチ面部１６，１６との縫合部に、下辺部を前板１５の下辺と前段底面部１７との縫合部に、夫々共に縫合して取り付ける。すなわち、該ポケット下部生地２２はその両側辺と下辺とが前板１５に縫合されて固定され、前記したポケット上部生地２１は、その下辺をポケット下部生地２２に縫合し、上辺と両側辺とはファスナー片２３，２４で着脱可能に前板１５に連結されることになる。
【００１９】
なお、上記ポケット下部生地２２の縫着に先立って、図では省略した、ファスナーの噛合を着脱するスライダーを嵌め込んでおくことが必要である。このスライダーは１個また２個が使用され、ファスナー片２３，２４の端部を該スライダーの所定場所に差し込み、該スライダーを務歯列部２３ｂ，２４ｂに沿わせて摺動させることで、両ファスナー片２３，２４の噛合を着脱するのは従来と同じであるが、本発明では、前記したように、ファスナー片２４の両端がポケット上部生地２１の下辺よりさらに下方に突出した自由端となしてあるので、狭い場所でもこのスライダーの取付が容易に行えるものである。
【００２０】
【発明の効果】
本発明は上記のように、縫合作業のみで前ポケットを取り付けることができ、従来のようにポケット生地を一部膨出させる等の立体加工が必要でないので、作業性のよいランドセルの前ポケット取付方法を提供できるものである。
【００２１】
そして、本発明は、最終の第四工程を除いては、平面材同士の縫合で済むので容易に製造できるランドセルの前ポケット取付方法を提供できるものであるばかりか、取り付けた前ポケットは、上辺のみならず、その両側辺部のファスナーで開閉可能となしたので、開口部を大きく開閉でき収納物の出し入れが容易な前ポケットが得られるものである。さらに、本発明はポケット生地を、ポケット上部生地２１とポケット下部生地２２とを縫合して構成したので、両者の縫合部でポケット上部生地２１を折り曲げることができ、その開口部を大きくすることができる前ポケットが得られるものである。
【図面の簡単な説明】
【図１】本発明ランドセルの前ポケット取付方法によって製造した、ランドセルの一実施例一部切欠斜視図である。
【図２】本発明第一工程で製造される、前板の平面図である。
【図３】本発明第３工程で製造されるポケット生地の背面図である。
【図４】従来例ランドセルの一実施例一部切欠斜視図である。
【符号の説明】
１５      前板
１６      前段マチ面部
１７      前段底面部
２１      ポケット上部生地
２２      ポケット下部生地
２３      ファスナー片
２３ａ    テープ部
２４      ファスナー片
２４ａ    テープ部
【図１】
0003682272.tif 000002
【図２】
0003682272.tif 000003
【図３】
0003682272.tif 000004
【図４】
0003682272.tif 000005